(57)【要約】【課題】  しおり体が安定した状態においてページシートをより軽い力で滑らかに捲ることができる自動しおりを提供する。【解決手段】  自動しおり１３は１枚の合成樹脂よりなる１枚の矩形状のシートより構成されている。第２ベースシート１６は、第１ベースシート１５に対して第１部分２５ａ，第１部分２５ｂにおいて折り返されている。しおり体１８は第１部分２５ａ，第１部分２５ｂの間に位置する第２部分２７ａ，第２部分２７ｂにおいて、第１ベースシート１５から伸びるように構成されている。しおり体１８は第２部分２７ａ，第２部分２７ｂから一対のしおり片２０ａ，しおり片２０ｂが伸び、これらは第１ベースシート１５から離れるにつれて接近し、その各々の端部において接続して一体化されて頂部２４を構成する。又、しおり片２０ａ，しおり片２０ｂの中間部に掛け渡すように掛け渡し片２２が接続されている。【選択図】      図１
2008001095.tif 000002
【特許請求の範囲】
【請求項１】
書籍に挟んで使用する自動しおりであって、
シート状のベースシートと、
前記ベースシートの端縁に接続され、前記ベースシートに対向する位置に伸びるしおり体とを備え、
前記しおり体は、前記端縁であって所定距離離れた位置の各々に接続され、外方に向かうにつれて互いに接近すると共に各々の端部において接続して一体化する一対のしおり片と、前記しおり片の各々の中間部分に掛け渡すように接続される掛け渡し片とからなる、自動しおり。
【請求項２】
前記しおり体は、逆Ａ字形状を有する、請求項１記載の自動しおり。
【請求項３】
書籍に挟んで使用する自動しおりであって、
シート状のベースシートと、
前記ベースシートの端縁に接続され、前記ベースシートに対向する位置に伸びるしおり体とを備え、
前記しおり体は、前記端縁であって所定距離離れた位置の各々に接続され、外方に向かうにつれて互いに接近する一対の支持片と、前記支持片の各々の先端にその底辺の両端の一部が接続された三角形形状を有するしおり片とからなる、自動しおり。
【請求項４】
前記しおり片は、前記底辺以外の二辺が等しい二等辺三角形形状を有すると共に、前記二辺と前記支持片の外方側の辺とが整列する、請求項３記載の自動しおり。
【請求項５】
前記ベースシートは、
シート状の第１ベースシートと、
前記第１ベースシートの端縁の少なくとも一部にその端縁が折り返し自在で接続され、前記第１ベースシートに対向するように配置することができるシート状の第２ベースシートとからなり、
前記しおり体は、前記第１ベースシートに折り曲げ自在に接続され、前記第２ベースシートに対応する位置に伸びる、請求項１から請求項４のいずれかに記載の自動しおり。
【請求項６】
前記第２ベースシートは前記第１ベースシートの前記端縁において所定距離離れた一対の第１部分に接続され、
前記しおり体は、前記第１ベースシートの前記第１部分の各々の間に位置する第２部分に接続される、請求項５記載の自動しおり。
【請求項７】
前記第１ベースシート、前記第２ベースシート及び前記しおり体は、１枚のシートから前記しおり体に対応する部分を打ち抜くことによって形成される、請求項５又は請求項６記載の自動しおり。
【請求項８】
前記シートは合成樹脂よりなり、
前記しおり体の前記第１ベースシート側の連結部には、折り曲げ方向に直交する方向に平行な複数の折り目線が形成される、請求項７記載の自動しおり。
【請求項９】
書籍に挟んで使用する自動しおりであって、
シート状のベースシートと、
前記ベースシートの端縁に接続されて前記端縁近傍で折り曲げられ、前記ベースシートに対向する位置に伸びるしおり体とを備え、
前記しおり体は、前記端縁であって所定距離離れた位置の各々に接続され、外方に向かうにつれて互いに接近すると共に各々の端部において接続して一体化する一対のしおり片と、前記しおり片の各々の中間部分に掛け渡すように接続される掛け渡し片とからなり、
前記掛け渡し片及び前記中間部分には、前記しおり片の各々を横切る方向に連続した１本の折り目線が形成される、自動しおり。
【請求項１０】
前記掛け渡し片の両端縁のうち、前記ベースシートの端縁側の端縁には、その先端が前記折り目線に達する少なくとも１本の切り込みが形成される、請求項９記載の自動しおり。
【請求項１１】
前記掛け渡し片の両端縁のうち、前記ベースシートの端縁側の端縁には、その先端が前記折り目線に達する少なくとも１つの切欠きが形成される、請求項９記載の自動しおり。
【請求項１２】
書籍に挟んで使用する自動しおりであって、
シート状のベースシートと、
前記ベースシートの端縁に接続されて前記端縁近傍で折り曲げられ、前記ベースシートに対向する位置に伸びるしおり体とを備え、
前記しおり体は、前記端縁であって所定距離離れた位置の各々に接続され、外方に向かうにつれて互いに接近すると共に各々の端部において接続して一体化する一対のしおり片と、前記しおり片の各々の中間部分に掛け渡すように接続される掛け渡し片とからなり、
前記掛け渡し片の両端縁のうち、前記ベースシートの端縁側の端縁には前記しおり片の各々を横切る方向に延びる辺を含む切欠きが形成され、前記辺の両端部から前記横切る方向に延びる折り目線が前記掛け渡し片及び前記中間部分の各々に形成される、自動しおり。
【請求項１３】
書籍に挟んで使用する自動しおりであって、
シート状のベースシートと、
前記ベースシートの端縁に接続されて前記端縁近傍で折り曲げられ、前記ベースシートに対向する位置に伸びるしおり体とを備え、
前記しおり体は、前記端縁であって所定距離離れた位置の各々に接続され、外方に向かうにつれて互いに接近する一対の支持片と、前記支持片の各々の先端にその底辺の両端の一部が接続された三角形枠形状を有するしおり片とからなり、
前記支持片の各々の先端には前記底辺に沿った折り目線が形成される、自動しおり。
【請求項１４】
前記しおり体は、逆Ａ字形状を有する、請求項９から請求項１３のいずれかに記載の自動しおり。
【請求項１５】
書籍に挟んで使用する自動しおりであって、
シート状のベースシートと、
前記ベースシートの端縁に接続されて前記端縁近傍で折り曲げられ、前記ベースシートに対向する位置に伸びるしおり体とを備え、
前記しおり体は、前記端縁であって所定距離離れた位置の各々に接続され、外方に向かうにつれて互いに接近する一対の支持片と、前記支持片の各々の先端にその底辺の両端の一部が接続された三角形形状を有するしおり片とからなり、
前記しおり片には、前記三角形形状の前記底辺と異なる他の二辺を横切る方向に折り目線が形成される、自動しおり。
【請求項１６】
前記しおり片は、前記底辺以外の二辺が等しい二等辺三角形形状を有すると共に、前記二辺と前記支持片の外方側の辺とが整列する、請求項１５記載の自動しおり。
【請求項１７】
書籍に挟んで使用する自動しおりであって、
シート状のベースシートと、
前記ベースシートの端縁に接続されて前記端縁近傍で折り曲げられ、前記ベースシートに対向する位置に伸びるしおり体とを備え、
前記しおり体は、前記端縁であって所定距離離れた位置の各々に接続され、外方に向かうにつれて互いに接近すると共に各々の端部において接続して一体化する一対のしおり片からなり、
前記一対のしおり片には、前記しおり片の各々を横切る方向であって１本の直線上に重なるように、それぞれ１本の折り目線が形成される、自動しおり。
【請求項１８】
前記しおり片のうち、前記折り目線の形成される部分の幅は、他の部分の幅よりも広く形成される、請求項１７記載の自動しおり。
【請求項１９】
前記ベースシートは、
シート状の第１ベースシートと、
前記第１ベースシートの端縁の少なくとも一部にその端縁が折り返し自在で接続され、前記第１ベースシートに対向するように配置することができるシート状の第２ベースシートとからなる、請求項９から請求項１８のいずれかに記載の自動しおり。
【請求項２０】
前記第２ベースシートは前記第１ベースシートの前記端縁において所定距離離れた一対の第１部分に接続され、
前記しおり体は、前記第１ベースシートの前記第１部分の各々の間に位置する第２部分に接続される、請求項１９記載の自動しおり。
【請求項２１】
前記第１ベースシート、前記第２ベースシート及び前記しおり体は、１枚のシートから前記しおり体に対応する部分を打ち抜くことによって形成される、請求項１９又は請求項２０に記載の自動しおり。
【発明の詳細な説明】
【技術分野】
【０００１】
この発明は自動しおりに関し、特に書籍のページを捲るごとに、見開いたページにしおりが自動的に繰り入れられる自動しおりに関するものである。
【背景技術】
【０００２】
図２３は例えば出願人による特許第３５９２６８６号公報（特許文献１）に開示されている自動しおりの全体図であり、図２４は、図２３の自動しおりを書籍にセットしページシートを捲った状態を示すしおり体部分の部分拡大図である。
【０００３】
これらの図を参照して、自動しおり５１は四角形のベースシート５５と、ベースシート５５の一辺に突出して設けられた一対の連結体５６ａ，連結体５６ｂと、一対の連結体５６ａ，連結体５６ｂに挟まれるように設けられた突出体６３と、その各々の連結体５６ａ，連結体５６ｂの先端である連結片７９ａ，連結片７９ｂで接続され、連結片７９ａ，連結片７９ｂと平行して複数本の折り目線６５ａ，折り目線６５ｂを入れて折り曲げ加工された一対の弾性体６２ａ，弾性体６２ｂと、その各々の弾性体６２ａ，弾性体６２ｂの先端に接続辺８０ａ，接続辺８０ｂで接続される一対のしおり片７８ａ，しおり片７８ｂをその先端部で接合しＶ字シート形状にしたＶ字しおり体７７とから構成される。この自動しおり５１は、１枚の合成樹脂シートを打ち抜いて形成されている。
【０００４】
製造時には、Ｖ字形状のＶ字しおり体７７と連結体５６ａ，連結体５６ｂとの接続部分である連結片７９ａ，連結片７９ｂをほぼ直角に折り曲げ、その連結片７９ａ，連結片７９ｂ近傍で連結体５６ａ，連結体５６ｂと逆側に折り曲げ、連結片７９ａ，連結片７９ｂに平行して複数本の折り目線６５ａ，折り目線６５ｂを入れることによって弾性体６２ａ，弾性体６２ｂを形成している。この折り目線６５ａ，折り目線６５ｂによってしおり体７７は、ベースシート５５とほぼ平行に対向するように加工されている。この時Ｖ字しおり体７７がページシート６７の面に被さるが、Ｖ字しおり体７７は無色透明であるので読書をすることに支障はない。又、ベースシート５５及び弾性体６２ａ，弾性体６２ｂは色付けされたり図柄が付されたりする。
【０００５】
使用時にあっては、図２４に示すように自動しおり５１を書籍６６にセットする。つまり書籍６６の見開いたページにベースシート５５を重ね、その上に適当量のページシート６７を乗せＶ字しおり体７７を重ねる。この自動しおり５１をセットした書籍６６のページシート６７を捲ると、書籍６６の小口側になるしおり片７８ａの傾斜辺６１ａがページシート６７の上方片７５に当接する。これによりＶ字形状の片側を形成するしおり片７８ａが最初に跳ね上げられる。もう一方のしおり片７８ｂは、Ｖ字の先端部でのみ繋がっているのでこの先端部を通じて力が伝わり続けて跳ね上げられる。このように、このしおり片７８ｂは、ページシート６７に当接する方のしおり片７８ａに遅れて跳ね上げられるので、このＶ字形状のＶ字しおり体７７全体としては捻られた形になる。
【０００６】
このように、Ｖ字形状のＶ字しおり体７７は、ページシート６７の上方片７５が傾斜辺６１ａに当接した時から捻られた状態になる。そのためＶ字形状のＶ字しおり体７７を跳ね上げる力は小さくてすむので、ページシート６７を捲る力も弱くてもすみ、更にその動作は滑らかである。又、連結体５６ａ，連結体５６ｂが設けられているので、ベースシート５５の基準辺である上方辺７６が連結体５６の上側面７０より連結体５６ａ，連結体５６ｂの分だけ下側に位置した時でも、弾性体６２ａ，弾性体６２ｂは書籍６６の上側面７０より上方に位置することになる。
【０００７】
又、連結体５６ａ，連結体５６ｂの間に設けた突出体６３の上方辺を連結体５６の上側面７０と同じレベルにすると連結体５６ａ，連結体５６ｂと弾性体６２ａ，弾性体６２ｂとの接続部分である連結片７９ａ，連結片７９ｂが連結体５６の上側面７０と同じレベルになるように構成されている。このため、突出体６３を用いてセットすると、自動しおり５１の調整が容易となる。更に、弾性体６２ａ，弾性体６２ｂは、折り曲げ加工がされているのでページシート６７を繰り返し捲った時でも折り目線が消えることがない。そのため自動しおり５１は耐久性がある。
【特許文献１】特許第３５９２６８６号公報
【発明の開示】
【発明が解決しようとする課題】
【０００８】
上記のような従来の自動しおりでは、しおり体がＶ字形状を有しているためページの捲りの方向に関わらずスムーズな捲りが可能となる。しかし、より軽い力で捲ることができるようにしおり体のしおり片をより細くすると、しおり体全体の強度が下がってしまい安定した捲り動作ができなくなってしまう。又、上記のような従来の自動しおりでは、使用時にあっては先ずベースシートを書籍の適当な箇所に挟む必要がある。しかし、ベースシートは挟まれているだけなので、その位置がずれる虞がある。
【０００９】
ベースシートがずれると、本来の正しい位置に対してしおり体もずれることになる。このため、安定したしおり体の機能が発揮されなくなってしまい、自動しおりとしての使い勝手が低下してしまう。
【００１０】
また、しおり体を使用可能な状態に形成する際、微妙な曲げ加工による調整などが必要となるので、加工状態にばらつきが大きくなる場合があり、使用時における動作の安定性が低下してしまう。
【００１１】
この発明は上記のような課題を解決するためになされたもので、しおり体が安定した状態においてページシートをより軽い力で滑らかに捲ることができる自動しおりを提供することを目的とする。
【課題を解決するための手段】
【００１２】
上記の目的を達成するために、請求項１記載の発明は、書籍に挟んで使用する自動しおりであって、シート状のベースシートと、ベースシートの端縁に接続され、ベースシートに対向する位置に伸びるしおり体とを備え、しおり体は、端縁であって所定距離離れた位置の各々に接続され、外方に向かうにつれて互いに接近すると共に各々の端部において接続して一体化する一対のしおり片と、しおり片の各々の中間部分に掛け渡すように接続される掛け渡し片とからなるものである。
【００１３】
このように構成すると、しおり片の各々が先端部のみならずその途中においても掛け渡し片によって連結される。
【００１４】
請求項２記載の発明は、請求項１記載の発明の構成において、しおり体は逆Ａ字形状を有するものである。
【００１５】
このように構成すると、しおり体が対称形状となる。
【００１６】
請求項３記載の発明は、書籍に挟んで使用する自動しおりであって、シート状のベースシートと、ベースシートの端縁に接続され、ベースシートに対向する位置に伸びるしおり体とを備え、しおり体は、端縁であって所定距離離れた位置の各々に接続され、外方に向かうにつれて互いに接近する一対の支持片と、支持片の各々の先端にその底辺の両端の一部が接続された三角形形状を有するしおり片とからなるものである。
【００１７】
このように構成すると、しおり片が一対の支持片によって支持される。
【００１８】
請求項４記載の発明は、請求項３記載の発明の構成において、しおり片は、底辺以外の二辺が等しい二等辺三角形形状を有すると共に、二辺と支持片の外方側の辺とが整列するものである。
【００１９】
このように構成すると、しおり体が対称形状となる。
【００２０】
請求項５記載の発明は、請求項１から請求項４のいずれかに記載の発明の構成において、ベースシートは、シート状の第１ベースシートと、第１ベースシートの端縁の少なくとも一部にその端縁が折り返し自在で接続され、第１ベースシートに対向するように配置することができるシート状の第２ベースシートとからなり、しおり体は第１ベースシートに折り曲げ自在に接続され、第２ベースシートに対応する位置に伸びるものである。
【００２１】
このように構成すると、第１ベースシートと第２ベースシートとの間に書籍のページシートを挟むとページシートの上端縁で第１ベースシート及び第２ベースシートが支持される。
【００２２】
請求項６記載の発明は、請求項５記載の発明の構成において、第２ベースシートは第１ベースシートの端縁において所定距離離れた一対の第１部分に接続され、しおり体は第１ベースシートの第１部分の各々の間に位置する第２部分に接続されるものである。
【００２３】
このように構成すると、しおり体の両側において第１ベースシート及び第２ベースシートはページシートによって支持される。
【００２４】
請求項７記載の発明は、請求項５又は請求項６記載の発明の構成において、第１ベースシート、第２ベースシート及びしおり体は、１枚のシート体からしおり体に対応する部分を打ち抜くことによって形成されるものである。
【００２５】
請求項８記載の発明は、請求項７記載の発明の構成において、シートは合成樹脂よりなり、しおり体の第１ベースシート側の連結部には、折り曲げ方向に直交する方向に平行な複数の折り目線が形成されるものである。
【００２６】
このように構成すると、連結部に弾性機能と形態保持機能とが付与される。
【００２７】
請求項９記載の発明は、書籍に挟んで使用する自動しおりであって、シート状のベースシートと、ベースシートの端縁に接続されて端縁近傍で折り曲げられ、ベースシートに対向する位置に伸びるしおり体とを備え、しおり体は、端縁であって所定距離離れた位置の各々に接続され、外方に向かうにつれて互いに接近すると共に各々の端部において接続して一体化する一対のしおり片と、しおり片の各々の中間部分に掛け渡すように接続される掛け渡し片とからなり、掛け渡し片及び中間部分には、しおり片の各々を横切る方向に連続した１本の折り目線が形成されるものである。
【００２８】
このように構成すると、しおり片の各々が先端部のみならずその途中においても掛け渡し片によって連結される。また、しおり体は、ベースシートの端縁と、各々のしおり片の中間部分及び掛け渡し片に形成される１本の折り目線とにより折り曲げられる。
【００２９】
請求項１０記載の発明は、請求項９記載の発明の構成において、掛け渡し片の両端縁のうち、ベースシートの端縁側の端縁には、その先端が折り目線に達する少なくとも１本の切り込みが形成されるものである。
【００３０】
このように構成すると、使用状態において、折り目線での折り曲げにより２つの平面で形成される掛け渡し片は、切り込みの形成されていない側の一方の平面のみで連続する。
【００３１】
請求項１１記載の発明は、請求項９記載の発明の構成において、掛け渡し片の両端縁のうち、ベースシートの端縁側の端縁には、その先端が折り目線に達する少なくとも１つの切欠きが形成されるものである。
【００３２】
このように構成すると、使用状態において、折り目線での折り曲げにより２つの平面で形成される掛け渡し片は、切欠きの形成されていない側の一方の平面のみで連続する。また、切欠きを形成するように折り目線から伸びる２本の輪郭線は、所定の距離を隔てて対向する。
【００３３】
請求項１２記載の発明は、書籍に挟んで使用する自動しおりであって、シート状のベースシートと、ベースシートの端縁に接続されて端縁近傍で折り曲げられ、ベースシートに対向する位置に伸びるしおり体とを備え、しおり体は、端縁であって所定距離離れた位置の各々に接続され、外方に向かうにつれて互いに接近すると共に各々の端部において接続して一体化する一対のしおり片と、しおり片の各々の中間部分に掛け渡すように接続される掛け渡し片とからなり、掛け渡し片の両端縁のうち、ベースシートの端縁側の端縁にはしおり片の各々を横切る方向に延びる辺を含む切欠きが形成され、辺の両端部から横切る方向に延びる折り目線が掛け渡し片及び中間部分の各々に形成されるものである。
【００３４】
このように構成すると、しおり片の各々が先端部のみならずその途中においても掛け渡し片によって連結される。また、しおり体は、ベースシートの端縁と、切欠きの部分を介した両側の掛け渡し片及び中間部分においてそれぞれ１本ずつ形成される折り目線とに沿って折り曲げられる。更に、使用状態において、折り目線での折り曲げにより２つの平面で形成される掛け渡し片は、切欠きの形成されていない端縁側の一方の平面のみで連続する。
【００３５】
請求項１３記載の発明は、書籍に挟んで使用する自動しおりであって、シート状のベースシートと、ベースシートの端縁に接続されて端縁近傍で折り曲げられ、ベースシートに対向する位置に伸びるしおり体とを備え、しおり体は、端縁であって所定距離離れた位置の各々に接続され、外方に向かうにつれて互いに接近する一対の支持片と、支持片の各々の先端にその底辺の両端の一部が接続された三角形枠形状を有するしおり片とからなり、支持片の各々の先端には底辺に沿った折り目線が形成されるものである。
【００３６】
このように構成すると、しおり片が一対の支持片によって支持される。また、しおり体は、ベースシートの端縁及び折り目線により折り曲げられる。
【００３７】
請求項１４記載の発明は、請求項９から請求項１３のいずれかに記載の発明の構成において、しおり体は、逆Ａ字形状を有するものである。
【００３８】
このように構成すると、しおり体が対称形状となる。
【００３９】
請求項１５記載の発明は、書籍に挟んで使用する自動しおりであって、シート状のベースシートと、ベースシートの端縁に接続されて端縁近傍で折り曲げられ、ベースシートに対向する位置に伸びるしおり体とを備え、しおり体は、端縁であって所定距離離れた位置の各々に接続され、外方に向かうにつれて互いに接近する一対の支持片と、前記支持片の各々の先端にその底辺の両端の一部が接続された三角形形状を有するしおり片とからなり、しおり片には、三角形形状の底辺と異なる他の二辺を横切る方向に折り目線が形成されるものである。
【００４０】
このように構成すると、しおり片が一対の支持片によって支持される。また、しおり体は、ベースシートの端縁及び、しおり片の三角形形状の中に形成された折り目線により折り曲げられ、ベースシートと対向する。
【００４１】
請求項１６記載の発明は、請求項１５記載の発明の構成において、しおり片は、底辺以外の二辺が等しい二等辺三角形形状を有すると共に、二辺と支持片の外方側の辺とが整列するものである。
【００４２】
このように構成すると、しおり体が対称形状になる。
【００４３】
請求項１７記載の発明は、書籍に挟んで使用する自動しおりであって、シート状のベースシートと、ベースシートの端縁に接続されて端縁近傍で折り曲げられ、ベースシートに対向する位置に伸びるしおり体とを備え、しおり体は、端縁であって所定距離離れた位置の各々に接続され、外方に向かうにつれて互いに接近すると共に各々の端部において接続して一体化する一対のしおり片からなり、一対のしおり片には、しおり片の各々を横切る方向であって１本の直線上に重なるように、それぞれ１本の折り目線が形成されるものである。
【００４４】
このように構成すると、しおり体は、ベースシートの端縁及び、しおり片の各々に形成された、１直線上に並ぶそれぞれ１本の折り目線により折り曲げられ、ベースシートに対向する。
【００４５】
請求項１８記載の発明は、請求項１７記載の発明の構成において、しおり片のうち、折り目線の形成される部分の幅は、他の部分の幅よりも広く形成されるものである。
【００４６】
このように構成すると、しおり片の他の部分よりも広い部分に折り目線が確保される。
【００４７】
請求項１９記載の発明は、請求項９から請求項１８のいずれかに記載の発明の構成において、ベースシートは、シート状の第１ベースシートと、第１ベースシートの端縁の少なくとも一部にその端縁が折り返し自在で接続され、第１ベースシートに対向するように配置することができるシート状の第２ベースシートとからなるものである。
【００４８】
このように構成すると、第１ベースシートと第２ベースシートとの間に書籍のページシートを挟むとページシートの上端縁で第１ベースシート及び第２ベースシートが支持される。
【００４９】
請求項２０記載の発明は、請求項１９記載の発明の構成において、第２ベースシートは第１ベースシートの端縁において所定距離離れた一対の第１部分に接続され、しおり体は、第１ベースシートの第１部分の各々の間に位置する第２部分に接続されるものである。
【００５０】
このように構成すると、しおり体の両側において第１ベースシート及び第２ベースシートはページシートによって支持される。
【００５１】
請求項２１記載の発明は、請求項１９又は請求項２０記載の発明の構成において、第１ベースシート、第２ベースシート及びしおり体は、１枚のシートからしおり体に対応する部分を打ち抜くことによって形成されるものである。
【００５２】
このように構成すると、第１ベースシート、第２ベースシート及びしおり体が一体に連続する。
【発明の効果】
【００５３】
以上説明したように、請求項１記載の発明は、しおり片の各々は連結されるため、しおり片を細く形成してもしおり体全体の強度が向上するので使用勝手が向上する。
【００５４】
請求項２記載の発明は、請求項１記載の発明の効果に加えて、しおり体が対称形状となるため、右開き、左開きのいずれに対してもスムーズなページ捲りが可能となる。
【００５５】
請求項３記載の発明は、しおり片が一対の支持片によって支持されるため、支持片を細く形成してもしおり体全体の強度が向上するので、使用勝手が向上する。
【００５６】
請求項４記載の発明は、請求項３記載の発明の効果に加えて、しおり体が対称形状となるため、右開き、左開きのいずれに対してもスムーズなページ捲りが可能となる。
【００５７】
請求項５記載の発明は、請求項１から請求項４のいずれかに記載の発明の効果に加えて、ページシートの上端縁で第１ベースシート及び第２ベースシートとが支持されるため、第１ベースシートの位置が一定となり、その結果しおり体の位置も常に一定となる。これによってしおり体の機能が安定して発揮され、使用時の信頼性が向上する。
【００５８】
請求項６記載の発明は、請求項５記載の発明の効果に加えて、しおり体の両側において第１ベースシート及び第２ベースシートがページシートによって支持されるため、第１ベースシートが傾く虞がなくなり、しおり体の機能がより安定して発揮される。
【００５９】
請求項７記載の発明は、請求項５又は請求項６記載の発明の効果に加えて、１枚のシートの各部分が第１ベースシート、第２ベースシート及びしおり体に対応するため各部の接続工程等が不要となり、コスト的に有利な自動しおりとなる。
【００６０】
請求項８記載の発明は、請求項７記載の発明の効果に加えて、連結部に弾性機能と形態保持機能とが付与されるため、より効果的なしおり体が簡易に形成される。
【００６１】
請求項９記載の発明は、しおり片の各々は連結されるため、しおり片を細く形成してもしおり体全体の強度が向上するので使用勝手が向上する。また、ベースシートの端縁及び１本の折り目線における２回のみの折り曲げにより、しおり体をベースシートと対向させることができるので、容易に使用状態の形状に形成することが可能である。そして、その折り目線は、掛け渡し片とこれに繋がる中間部分に形成されるので、しおり片を細く形成しても折り曲げの範囲は小さくならい。すなわち、形態保持機能は変化しないので、折り曲げの状態を良好に保持することが可能となる。
【００６２】
請求項１０記載の発明は、請求項９記載の発明の効果に加えて、使用状態において、折り目線での折り曲げにより２つの平面で形成される掛け渡し片は、切り込みの形成されていない端縁側の一方の平面のみで連続するので、しおり体の柔軟性が向上する。
【００６３】
請求項１１記載の発明は、請求項９記載の発明の効果に加えて、使用状態において、折り目線での折り曲げにより２つの平面で形成される掛け渡し片は、切欠きの形成されていない側の一方の平面のみで連続するので、しおり体の柔軟性が向上する。また、切欠きを形成するように折り目線から端縁側へ伸びる、対向した２本の輪郭線同士が、所定の距離だけ隔てられているので、掛け渡し片が切欠きが形成されている平面内で曲がるときに、これら２本の輪郭線同士が干渉することが少なくなる。
【００６４】
請求項１２記載の発明は、しおり片の各々は連結されるため、しおり片を細く形成してもしおり体全体の強度が向上するので使用勝手が向上する。また、しおり体は、ベースシートの端縁及び折り目線における２回のみの折り曲げによりベースシートと対向するので、使用状態の形状を容易に形成できる。そして、折り目線は、切欠きの部分を介した両側の掛け渡し片とこれに繋がる中間部分に形成されるので、しおり片を細く形成しても折り曲げの範囲は小さくならない。すなわち、形態保持機能は変化しないので、折り曲げの状態を良好に保持することが可能となる。更に、使用状態において、折り目線での折り曲げにより２つの平面で形成される掛け渡し片は、切欠きの形成されていない端縁側の一方の平面のみで連続するので、掛け渡し片は、この平面内において切欠きに含まれる辺の形成される範囲で自在に曲がり、しおり体の柔軟性が向上する。
【００６５】
請求項１３記載の発明は、しおり片が一対の支持片によって支持され、支持片を細く形成してもしおり体全体の強度が向上するので、使用勝手が向上する。また、しおり体は、ベースシートの端縁及び折り目線により折り曲げられるので、２回のみの折り曲げにより容易にしおり体をベースシートに対向させ、使用状態の形状に形成することが可能となる。
【００６６】
請求項１４記載の発明は、請求項９から請求項１３のいずれかに記載の発明の効果に加えて、しおり体が対称形状となるため、右開き、左開きのいずれに対してもスムーズなページ捲りが可能となる。
【００６７】
請求項１５記載の発明は、しおり片が一対の支持片によって支持され、支持片を細く形成してもしおり体全体の強度が向上するので、使用勝手が向上する。また、しおり体は、ベースシートの端縁及び、しおり片の三角形形状の中に形成された折り目線により折り曲げられ、ベースシートと対向するので、２回のみの折り曲げにより容易にしおり体を使用状態の形状に形成することができると共に、支持片を細く形成しても、しおり片の折り目線の範囲は小さくならない。すなわち、形態保持機能は変化しないので、折り曲げ状態を良好に保持することが可能となる。
【００６８】
請求項１６記載の発明は、請求項１５記載の発明の効果に加えて、しおり体が対称形状となるため、右開き、左開きのいずれに対してもスムーズなページ捲りが可能となる。
【００６９】
請求項１７記載の発明は、しおり体は、ベースシートの端縁及び、しおり片の各々に形成された、１直線状に並ぶそれぞれ１本の折り目線により折り曲げられ、ベースシートに対向するので、２回のみの折り曲げにより容易にしおり体をベースシートに対向させ、使用状態の形状に形成することが可能となる。
【００７０】
請求項１８記載の発明は、請求項１７記載の発明の効果に加えて、しおり片の他の部分よりも広い部分に折り目線が確保されるので、しおり片の幅が一定のものに比べて形態保持機能が向上し、折り曲げ状態は良好に保持される。
【００７１】
請求項１９記載の発明は、請求項９から請求項１８のいずれかに記載の発明の効果に加えて、ページシートの上端縁で第１ベースシート及び第２ベースシートとが支持されるため、第１ベースシートの位置が一定となり、その結果しおり体の位置も常に一定となる。これによってしおり体の機能が安定して発揮され、使用時の信頼性が向上する。
【００７２】
請求項２０記載の発明は、請求項１９記載の発明の効果に加えて、しおり体の両側において第１ベースシート及び第２ベースシートがページシートによって支持されるため、第１ベースシートが傾く虞がなくなり、しおり体の機能がより安定して発揮される。
【００７３】
請求項２１記載の発明は、請求項１９又は請求項２０記載の発明の効果に加えて、第１ベースシート、第２ベースシート及びしおり体が一体に連続するので、各部の接続工程等が不要となり、コスト的に有利な自動しおりとなる。
【発明を実施するための最良の形態】
【００７４】
図１はこの発明の第１の実施の形態による自動しおりの外観形状を示した斜視図であり、図２は図１の自動しおりの展開状態を示した図である。
【００７５】
これらの図を参照して、自動しおり１３はコーナーが丸められた１枚の矩形シート形状のシート１４（厚さ：０．２ｍｍ）から形成されている。シート１４はポリエチレン、ポリプロピレン等の合成樹脂より形成されている。
【００７６】
図２に示されているように、シート１４は大きくは第１ベースシート１５の部分と第２ベースシート１６の部分とに分けられており、これらの境界には折り目線が形成され、折り曲げ自在に構成されている。折り目線は具体的には両外側部分の一対の第１部分２５ａ，第１部分２５ｂから構成されている。
【００７７】
又、第２ベースシート１６の中央にはＡ字形状を有するしおり体１８を構成する一対のしおり片２０ａ，しおり片２０ｂと、しおり片２０ａ，しおり片２０ｂの各々の中間部に掛け渡すように接続される掛け渡し片２２とが、第２ベースシート１６に対して切れ目２６を形成することによって作成されている。すなわち、切れ目２６の形成によって第１部分４１及び第２部分４２が打ち抜かれて、図のようなＡ字形状のしおり体１８が形成される。しおり片２０ａ，しおり片２０ｂの各々は、第１ベースシート１５から離れるにつれて接近し、各々の先端部において接続して一体化して頂部２４を構成している。そして、しおり体１８のしおり片２０ａ，しおり片２０ｂは、第１ベースシート１５に対して第２部分２７ａ，第２部分２７ｂの位置で接続された状態となる。
【００７８】
尚、しおり片２０ａ，しおり片２０ｂの掛け渡し片２２より第１ベースシート１５側の部分には、第２部分２７ａ，第２部分２７ｂに対して平行な複数の折り目線２３ａ，折り目線２３ｂが形成されている。又、この実施の形態による自動しおり１３にあっては、しおり片２０ａ，しおり片２０ｂの掛け渡し片２２より先端側は無色透明であり、他の部分は着色されているが、この部分が少なくとも透明であれば良く、又、他の部分も透明であっても良い。掛け渡し片２２の部分には広告文字等を入れることも可能である。
【００７９】
このようにして自動しおり１３は１枚のシート１４から形成されているため、コスト的に有利なものとなる。そこで、図１に示すような製品とするためには、先ず図２に示した状態から第２ベースシート１６を第１部分２５ａ，第１部分２５ｂに沿って第１ベースシート１５上に重なるように折り返す。次に残ったしおり体１８のしおり片２０ａ，しおり片２０ｂの第１ベースシート１５側の部分を、折り目線２３ａ，折り目線２３ｂに沿って徐々に第１ベースシート１５側に折り返す。この時しおり片２０ａ，しおり片２０ｂには折り目線２３ａ，折り目線２３ｂが形成されているため、所望の折り癖を容易に付けることが可能となる。そして同様にしおり体１８のしおり片２０ａ，しおり片２０ｂの先端側に対しても、しおり片２０ａ，しおり片２０ｂに沿って頂部２４が図１に示すように第２ベースシート１６の面側に近付くように折り癖を付ける。このように折り目線２３ａ，折り目線２３ｂに沿ってしおり体１８を折り曲げて形成することによって、しおり体１８には形態保持機能と弾性機能とが付与されることになる。このようにして、図１に示した自動しおり１３が容易に完成する。
【００８０】
尚、しおり体１８の中央部にはしおり片２０ａ，しおり片２０ｂを掛け渡す掛け渡し片２２が形成されている。このため、しおり片２０ａ，しおり片２０ｂを従来に比べてかなりその幅を細くしても掛け渡し片２２と一体となるために後述するようにしおり体１８全体の強度が向上すると共に、しおり片２０ａ，しおり片２０ｂの変形が容易となる。この実施の形態では、図２においてしおり体の高さは５０ｍｍであり、その第１ベースシート１５側の幅は４０ｍｍに設定されている。又、しおり片２０の各々の幅は３〜４ｍｍに設定されている。更に、掛け渡し片２２の第１ベースシート１５からの距離はその下端で２０ｍｍであり、その幅は５ｍｍに設定されている。
【００８１】
次にこの自動しおり１３の使用方法について説明する。
【００８２】
図３は図１で示した自動しおりの使用に際して行う書籍に対する装着方法を示した斜視図である。
【００８３】
図を参照して、自動しおり１３を書籍２８に装着するに当たっては、例えば裏表紙３０の前方に位置する最後方のページシート２９に対して、これを自動しおり１３の第１ベースシート１５及び第２ベースシート１６で挟むようにして自動しおり１３を降下させる。第２ベースシート１６は第１部分２５ａ，第１部分２５ｂを介して折り返された状態となっているため、ページシート２９の上方辺がこれらの内面に当接することになる。これによって自動しおり１３は第１部分２５ａ，第１部分２５ｂを介してページシート２９によって支持された状態となる。したがって、自動しおり１３はこの状態から下方向にずれる虞はない。
【００８４】
図４は図３の状態から自動しおり１３を使用開始状態にセットした状態を示した斜視図である。
【００８５】
図を参照して、図３に示したように自動しおり１３のしおり体１８を上方に持ち上げた状態で第２ベースシート１６の全面に重なるように、開いていた一定量のページシート群３２を裏表紙３０側に戻すようにする。そしてこの状態で持ち上げられたしおり体１８をページシート群３２の前面側に接するように降ろすことによって、自動しおり１３の装着が完成する。この状態にあっても、自動しおり１３を構成する第１ベースシート１５及び第２ベースシート１６はページシート２９の上方辺によって支持された状態が変わらないため、自動しおり１３が図４の状態から下方向にずれるような虞はない。尚、上述のようにしおり体１８の掛け渡し片２２より先端側は無色透明であるため、ページシート群３２の前方のページシートに被さってもそのページ面を読むことに支障はない。
【００８６】
図５は図４で示したＶ−Ｖラインの拡大断面図である。
【００８７】
上述のようにページシート２９によって、自動しおり１３の第１ベースシート１５及び第２ベースシート１６は位置決めされた状態となるため、自動しおり１３のしおり体１８のページシート群３２の上面に対する位置関係も常に一定となる。又、この状態にあっては、ページシート群３２によって自動しおり１３の第１ベースシート１５及び第２ベースシート１６は裏表紙３０側に押さえ付けられた状態となるため、自動しおり１３の取り付け状態がより安定する。
【００８８】
図６は、図４に示した自動しおり１３の装着状態からページシートを捲りだした状態を示した斜視図である。
【００８９】
図を参照して、ページシート群３２の前方のページシート３５を捲ると、その上方辺３６はしおり体１８を構成するしおり片２０ａの外方側の辺に沿って移動することになる。しおり体１８の折り曲げ部１９ａ，折り曲げ部１９ｂは上述のように折り目線の効果によって弾性機能と形態保持機能とを有している。そのため、しおり体１８のしおり片２０ａはページシート３５を捲ることによって上方辺３６を介して上方に持ち上げられることになる。この時、上方辺３６と接するしおり片２０ａの辺は内方側に傾斜するように構成されているため、しおり片２０ａはスムーズに上方に上がることになる。この場合、上述のようにしおり片２０ａ，しおり片２０ｂの幅が細く形成されているため、しおり片２０ａ，しおり片２０ｂは容易に変形しより軽やかにページシート３５を捲ることが可能となる。
【００９０】
ページシート３５を完全に捲り終わると、しおり体１８のしおり片２０ａ，しおり片２０ｂが、折り曲げ部１９ａ，折り曲げ部１９ｂの機能によって図４に示したような元の位置に復帰する。これによって以後同様にページシート群３２を捲ることによって、しおり体１８のしおり片２０ａ，しおり片２０ｂの先端側部分は常に最新のページの上に位置することになり、しおりとしての機能を自動的に発揮する。
【００９１】
そして、ページシート群３２をいずれの位置まで捲った状態にあっても、しおり体１８のページシート群３２に対する位置関係は、図５に示した状態から変わることはない。
【００９２】
したがって、しおり体１８は常に安定したしおりとしての機能を発揮するため使い勝手が向上する。
【００９３】
図７はこの発明の第２の実施の形態による自動しおりの外観形状を示した斜視図であり、図８は図７の自動しおりの展開状態を示した図である。
【００９４】
この実施の形態による自動しおりにあっては、先の第１の実施の形態に対してしおり体の形状のみが異なっているが、他の部分は基本的に同一である。したがって、しおり体の部分を中心に以下説明する。
【００９５】
これらの図を参照して、第２ベースシート１６の中央には、第１ベースシート１５と第２ベースシート１６の折り目部分において所定距離離れた位置の第２部分２７ａ，第２部分２７ｂに接続され、第１ベースシート１５から離れるにつれて互いに接近する一対の支持片３８ａ，支持片３８ｂと、支持片３８ａ，支持片３８ｂの各々の先端にその底辺の両端の一部が接続された二等辺三角形形状を有するしおり片３９とが、第２ベースシート１６に対して切れ目２６を形成することによって構成されている。すなわち、切れ目２６の形成によって部分４４が打ち抜かれて、図のような特殊形状のしおり体１８が形成される。尚、支持片３８ａ，支持片３８ｂの第１ベースシート１５側の部分には、第２部分２７ａ，第２部分２７ｂに対して平行な複数の折り目線２３ａ，折り目線２３ｂが形成されている。又、この実施の形態にあっては、しおり片３９は無色透明であり、他の部分は着色されているが他の部分も透明であっても良い。
【００９６】
図８の展開状態から図７の使用可能状態へは、先の第１の実施の形態と同様にすれば良いため、ここでの説明は繰り返さない。
【００９７】
この実施の形態による自動しおりの使用方法についても、先の第１の実施の形態によるものと同様であるため、ここでの説明は繰り返さない。
【００９８】
この実施の形態による自動しおりにあっては、しおり体の先端部が二等辺三角形形状のしおり片３９となり、これを一対の支持片３８ａ，支持片３８ｂで支持した状態となっている。そして、しおり片３９の底部以外の二辺と支持片３８ａ，３８ｂの外方側の辺とが整列するように形成されている。そのため、支持片３８ａ，支持片３８ｂの幅を細くしても、しおり片３９を介してしおり体１８は一体化するため、先の第１の実施の形態と同様により軽快にページシートを捲れると共にしおり体１８の強度が向上する。
【００９９】
尚、上記の第１の実施の形態では、掛け渡し片はしおり片の各々のほぼ中央部に接続されているが、この接続位置は他の位置でも良く、又、掛け渡し片は２以上であっても良い。
【０１００】
又、上記の各実施の形態では、しおり片や支持片に折り目線が複数形成されているが、形成数はこれに限らず、又、折り目線はなくても良い。
【０１０１】
更に、上記の各実施の形態では、しおり体は左右対称形状となっているが、対称形状でなくても、少なくとも捲るページシートと接する部分が背表紙側に傾斜していれば良い。
【０１０２】
更に、上記の各実施の形態では、第２ベースシートは一対の第１の部分の各々を介して第１ベースシートに接続されているが、片側の部分のみ接続されるように構成しても良い。この場合、自動しおりは若干傾き易くなるが、ページシートに支持される状態は維持されるため、装着状態は安定する。
【０１０３】
更に、上記の各実施の形態では、第１ベースシート、第２ベースシート及びしおり体は１枚の合成樹脂シートから形成されているが、これに限らず各部分がそれぞれ別体で構成され、互いに接続するように構成しても同様の効果を奏する。又、第１ベースシートと第２ベースシートとは１枚のシートより構成し、しおり体だけを別体としてこれらに接続するように構成しても良い。更に、図２３に示した従来例のように第２ベースシートがない構造であっても、しおり体による効果は同様に奏する。
【０１０４】
更に、上記の各実施の形態では、しおり体は切れ目の位置でシートから打ち抜かれたものとなっているが、第２ベースシートに残る開口はしおり体より大きな形状であっても同様の効果を奏する。
【０１０５】
更に、上記の各実施の形態では、第１ベースシートの一対の第１部分の各々に第２ベースシートが接続しているが、第２ベースシートが２枚のシートに分離され、各々が第１部分の各々に接続するように構成しても同様の効果を奏する。
【０１０６】
更に、上記の各実施の形態では、第１ベースシート及び第２ベースシートの各々は背表紙側まで押し込むようには装着されていないが、これらの形状を大きくして背表紙側に押し込むように使用できるように構成すれば、より装着状態が安定する。
【０１０７】
図９はこの発明の第３の実施の形態による自動しおりの外観形状を示した斜視図であり、図１０は図９の自動しおりの展開状態を示した図である。
【０１０８】
これらの図を参照して、この実施の形態における自動しおり１３は、第１の実施の形態において図１及び図２に示した自動しおり１３と同様に、ポリエチレン等の合成樹脂からなる１枚の矩形のシート１４を打ち抜いて形成されている。ここでは、第１の実施の形態と同様の構成については説明を繰り返さず、異なる点のみについて説明する。
【０１０９】
この実施の形態の自動しおり１３は、使用状態におけるしおり体１８の形状が第１の実施の形態のものと異なっている。すなわち、第１の実施の形態の図１に示すしおり体１８は、しおり片２０ａ、２０ｂのうち第１ベースシート１５から延びる、複数の平行な折り目線２３の形成された部分がカーブを描くように立体形成されて、第２ベースシート１６に対向していた。これに対して、この実施の形態では、しおり体１８は、掛け渡し片９１ａ及びこれに繋がる一対のしおり片９３ａ、９３ｂの中間部分を横切る方向に形成された１本の折り目線９２ａと、一対のしおり片９３ａ、９３ｂが接続される第２部分（ベースシートの端縁）２７ａ、２７ｂの近傍とにおける２回のみの折り曲げにより、第１ベースシート１６と対向するように形成される。尚、ベースシートの端縁近傍とは、図１０における第１ベースシート１５の上端としおり片９３ａ、９３ｂの下端とでなす台形部分をいう。この実施の形態では、この台形部分のほぼ中央に水平に折目線が形成されているが他の位置であっても良い。又、この実施の形態では、端縁近傍における折り曲げ箇所によるバネ効果を高めるために折目線は水平方向の全範囲に設けずにその両端部分のみに形成しているが、全範囲に設けてもよく、あるいは折目線を全く設けなくても良い。尚、この折り曲げ状態を効果的にするためには折り曲げ幅をしおり片９３ａ、９３ｂの水平幅より大きくすることが好ましい。従って、端部近傍は図のような台形形状以外に単なる矩形形状のような他の幅広の形状であっても良い。
【０１１０】
しおり片９３ａ、９３ｂの幅（３〜４ｍｍ）は十分細くされてしおり体１８全体が軽量化されている。一方、折り目線９２ａの形成長さは十分確保されている。そのため上述の２箇所の折り曲げのみによって自動化の機能は十分に発揮される。
【０１１１】
図１１は図９で示した自動しおりの使用に際して行う書籍に対する装着方法を示した斜視図である。
【０１１２】
図を参照して、図１０のシート１４の状態から第２ベースシート１６のみを折り返した状態は、第１の実施の形態において図３に示した自動しおり１３の状態と同じであり、書籍への装着も同様であるため、ここでは説明を繰り返さない。
【０１１３】
図１２は図１１の状態から自動しおりを使用開始状態にセットした状態を示した斜視図である。
【０１１４】
図を参照して、図１１の装着状態から、しおり体１８が、第２部分２７ａ、２７ｂの近傍と、折り目線９２ａの部分のみにて折り曲げられ、ページシート群３２の前方に配置されている。
【０１１５】
このように、しおり体１８は、複雑な作業を伴わずに２回の折り曲げ操作のみにより、容易に使用状態の折り曲げ形状に形成できるので、折り曲げ形状にばらつきが生じ難く、したがって、安定したページ捲りが可能となる。
【０１１６】
図１３は図１２で示したＸＩＩＩ−ＸＩＩＩラインからみた拡大断面図であり、図１４は図１２に示した自動しおりの装着状態からページシートを捲り出した状態を示した斜視図である。
【０１１７】
これらの図を参照して、図１３の状態では、折り目線９２ａにおける適当な折り曲げ角の調整により、しおり体１８の折り目線９２ａより下の部分は、ページシート群３２の前面に位置する。そして、しおり体１８は、図１４に示すように、ページシート３５を捲る際に、主に折り目線９２ａにおける折り曲げ部分が広がるように変形する。そして、ページシート３５がしおり体１８から離れた後、しおり体１８は折り曲げ部分の形態を保持する弾性力により、元の形状に戻る。ここで、折り目線９２ａは、掛け渡し片９１ａ及びしおり片９３ａ、９３ｂの中間部分に渡って形成されているので、しおり片にのみ折り目線が形成される構成に比べて復元性に優れ、これにより、高い形態保持機能を有している。
【０１１８】
また、ページ捲りの際の抵抗を減らし、よりスムーズにするためには、しおり片９３ａ、９３ｂの幅を細くすればよいが、この場合においても、折り目線９２ａ自体の長さは変化しないので、形態保持機能を高い状態に維持することが可能である。
【０１１９】
更に、掛け渡し片９１ａの部分には公告文字等を入れることも可能である。
【０１２０】
図１５はこの発明の第４の実施の形態による自動しおりの外観形状を示した斜視図である。
【０１２１】
この実施の形態による自動しおりにあっては、先の第３の実施の形態に対してしおり体の形状のみが異なっているが、他の部分は基本的に同一である。従って、しおり体の部分を中心に以下説明する。
【０１２２】
図を参照して、この実施の形態におけるしおり体１８は、第３の実施の形態で図１０に示したシート１４において、打ち抜き部９４ａを残し、打抜き部９４ｂのみを打ち抜いたものに相当する。
【０１２３】
すなわち、第２部分２７ａ、２７ｂから延びる２本の支持片９５ａ、９５ｂが、二等辺三角形形状のしおり片９６ａ（図において斜線で示した部分）の底辺９９ａの両端の一部に接続される。ここで、しおり片９６ａの底辺９９ａ以外の二辺と支持片９５ａ、９５ｂの外方側の辺とは整列するように接続される。そして、折り目線９２ｂは、しおり辺９６ａ及び支持片９５ａ、９５ｂの接続部分ではなく、しおり片９６ａの範囲内において、底辺９９ａ以外の二辺を横切る方向に形成される。したがって、ページシートの捲りをスムーズにするために、支持片９５ａ、９５ｂを細く形成した場合においても、折り目線９２ｂの長さはそのままであり、これにより、形態保持機能を高い状態に維持したままで、ページシートの捲り動作をスムーズにすることができる。
【０１２４】
図１６はこの発明の第５の実施の形態による自動しおりの外観形状を示した斜視図であり、図１７は図１６に示した自動しおりの装着状態からページシートを捲り出した状態を示した斜視図である。
【０１２５】
この実施の形態による自動しおり１３は、第３の実施の形態における図９の自動しおり１３に対して、掛け渡し片９１ｂの形状のみが異なっている。したがって、ここでは第３の実施の形態と同様の構成については説明を繰り返さず、異なる部分のみについて説明を行う。
【０１２６】
図を参照して、自動しおり１３の掛け渡し片９１ｂの上下両端縁のうち、第１ベースシート１５の端縁に近い端縁側に、切り込み９８が形成されている。そして、この切り込み９８は、その先端が折り目線９２ｃにまで達している。掛け渡し片９１ｂは、折り目線９２ｃを介して上下の２つの平面により形成されているが、上述した切り込み９８が入った掛け渡し片９１ｂは、下側の一平面のみで連続する構成となる。すなわち、この下側の平面のみで連続する部分において、掛け渡し片９１ｂが自在に曲がることが可能となる。このような構成により、使用状態において、ページを捲る際、図１７に示すように、ページシート３５と共にしおり体１８が持ち上がるとき、切り込み９８が若干開くので掛け渡し片９１ｂの上の平面部分は曲げの抵抗とはならない。これにより、しおり体１８の左側がページシート３５に沿って柔軟に曲がることができ、ページ捲りの抵抗が低減されるので、スムーズなページ捲りが可能となる。
【０１２７】
図１８はこの発明の第６の実施の形態による自動しおりの外観形状を示した斜視図である。
【０１２８】
図を参照して、この実施の形態による自動しおり１３には、第５の実施の形態における図１６の自動しおり１３の掛け渡し片９１ｂに形成された切り込み９８に代わり、掛け渡し片９１ｃに切欠き１０１ａが形成されている。ここでは、第５の実施の形態と同様の構成については説明を繰り返さず、異なる部分のみについて説明を行う。
【０１２９】
図１８に示すように、掛け渡し片９１ｃに形成される切欠き１０１ａはＶ字形状を有し、その下方の頂点は、折り目線９２ｄにまで達している。
【０１３０】
これにより、第５の実施の形態と同様に、ページ捲りの際、上記切欠き１０１ａが開いて、しおり体１８が柔軟に曲がることができるので、ページ捲りの抵抗が低減され、スムーズなページ捲りを実現することが可能となる。そして更に、この実施の形態においては、切欠き１０１ａのＶ字を形成するように折り目線９２ｄ側から掛け渡し片９１ｃの上端縁側へ伸びる、対向した２本の輪郭線１０３ａ、１０３ｂ同士が、所定の距離だけ隔てられている。これにより、仮に、図１７に示した状態と逆の方向に、この実施の形態のしおり体１８が曲がった場合、すなわち、掛け渡し片９１ｃが切欠き１０１ａの形成されている平面内で曲がるときであっても、上記２本の輪郭線１０３ａ、１０３ｂ同士が互いに干渉し合うことが少なくなり、よりスムーズなページ捲りが可能となる。
【０１３１】
図１９はこの発明の第７の実施の形態による自動しおりの外観形状を示した斜視図である。
【０１３２】
図を参照して、この実施の形態による自動しおり１３は、第６の実施の形態における図１８の自動しおり１３に対して、掛け渡し片９１ｄに形成された切欠き１０１ｂの形状のみが異なっている。ここでは、第６の実施の形態と同様の構成については説明を繰り返さず、異なる部分のみについて説明を行う。
【０１３３】
この実施の形態における切欠き１０１ｂは、掛け渡し片９１ｄの上端縁側のほぼ中央に形成されている。ここで、切欠き１０１ｂに含まれる辺１０２は、掛け渡し片９１ｄ及びしおり片９３ｇ、９３ｈの中間部分に形成された折り目線９２ｅ、９２ｆと共に、しおり片９３ｇ、９３ｈを横切る方向に延びる１本の直線上に並んでいる。すなわち、この実施の形態では、しおり体１８に形成される折り目線は、切欠き１０１ｂによって２本の折り目線９２ｅ、９２ｆに分断され、これにより、掛け渡し片９１ｄは、その切欠き１０１ｂの辺１０２が形成される範囲だけ、１つの平面部１０５により形成されている。このように、一つの平面部１０５のみにより構成される範囲が広い点において、この実施の形態の自動しおり１３は、第６の実施の形態の自動しおり１３と異なっている。これにより、掛け渡し片１０１ｂが、第５、第６の実施の形態における掛け渡し片よりも更に自在に曲がる構成となるので、しおり体１８の柔軟性がより向上し、更にスムーズなページ送りが可能となる。
【０１３４】
図２０はこの発明の第８の実施の形態による自動しおりの外観形状を示した斜視図である。
【０１３５】
図を参照して、この実施の形態による自動しおり１３は、しおり体が逆Ａ型の形状を有している点において、第３の実施の形態における図９の自動しおり１３と同様であるが、図９の自動しおり１３の掛け渡し片に相当する部分に折り目線が形成されていない点で異なっている。ここでは、先の第３の実施の形態に対してしおり体の形状のみが異なる以外の他の部分は基本的に同一である。したがって、しおり体の部分を中心に以下説明する。
【０１３６】
この実施の形態では、しおり体１８は、三角形の枠形状を有するしおり片９６ｂの部分と、このしおり片９６ｂの三角形枠形状の底辺９９ｂの両端の一部に接続され、第２部分２７ａ、２７ｂと接続される一対の支持片９５ｃ、９５ｄの部分とから構成されている。そして折り目線９２ｇ、９２ｈは、しおり片９６ｂと一対の支持片９５ｃ、９５ｄとの接続部分、すなわち、底辺９９ｂの一部に重なるように形成されている。ここで、しおり片９６ｂの底辺９９ｂ側を形成する枠部分は、第３の実施の形態における図９のしおり体１８の掛け渡し片９１ａに相当する。
【０１３７】
このように、この実施の形態による自動しおり１３では、掛け渡し片に相当する部分は全ての範囲に渡って１つの平面により形成されるので、幅の広い切欠き１０１ｂが形成された第７の実施の形態における図１９の自動しおり１３の掛け渡し片９１ｄよりも更に柔軟性が向上する。したがって、よりスムーズなページ捲りが可能となる。
【０１３８】
図２１はこの発明の第９の実施の形態による自動しおりの外観形状を示した斜視図である。
【０１３９】
この実施の形態による自動しおりにあっては、先の第３の実施の形態に対してしおり体の形状のみが異なっているが、他の部分は基本的に同一である。したがって、しおり体の部分を中心に以下説明する。
【０１４０】
図を参照して、この実施の形態による自動しおり１３は、掛け渡し片を備えていない。そして、一対のしおり片９３ｉ、９３ｊには、それぞれ１本の折り目線９２ｉ、９２ｊが形成されており、これら折り目線９２ｉ、９２ｊは、一対のしおり片９３ｉ、９３ｊを横切る方向に延びる１本の直線上に重なるように形成されている。
【０１４１】
したがって、しおり体１８は、第２部分２７ａ、２７ｂの近傍及び折り目線９２ｉ、９２ｊにおける２回の折り曲げのみにより、容易に使用状態の形状に形成される。このように、複雑な作業を伴わずに容易に使用状態の形状に形成できるので、形状にばらつきが生じ難く、安定したページ捲りが可能となる。
【０１４２】
これに加えて、一対のしおり片９３ｉ、９３ｊの各々において、折り目線９２ｉ、９２ｊの形成される部分のみ、他より幅が広く形成されている。これにより、十分な長さの折り目線９２ｉ、９２ｊを確保して、使用状態の形状を維持すると共に、掛け渡し片を用いず、且つ、折り目線９２ｉ、９２ｊの形成される部分以外のしおり片９３ｉ、９３ｊの幅を狭く形成することにより、しおり体１８の柔軟性を向上させ、更にスムーズなページ捲りを可能とする。
【０１４３】
具体的には、折り目線９２ｉ、９２ｊが形成される部分の幅を６〜７ｍｍ程度に設定し、これ以外のしおり片９３ｉ、９３ｊの幅は、３．０〜４．０ｍｍ程度に設定すると、ページの内容を隠す部分が非常に少なくなり、全体の軽量化が図られ、より跳ね上げが軽快となって安定した動作が得られるので実用的である。
【０１４４】
図２２はこの発明の第１０の実施の形態による自動しおりの外観形状を示した斜視図である。
【０１４５】
図を参照して、この実施の形態による自動しおり１３は、掛け渡し片を用いていない点、及び、しおり体１８を横切る方向に延びる１本の直線上に重なるように、各々のしおり片９３ｋ、９３ｌ上に１本の折り目線が形成されている点において第９の実施の形態による図２１の自動しおり１３と同様である。しかし、折り目線９２ｋ、９２ｌの形成される部分を、しおり片９３ｋ、９３ｌの他の部分と同じ幅（３．０〜４．０ｍｍ程度）に形成する点において第９の実施の形態と異なっている。ここでは、第９の実施の形態と同様の構成については説明を繰り返さず、異なる点のみについて説明する。
【０１４６】
この実施の形態によるしおり体１８は、第２部分２７ａ、２７ｂの近傍と、一対のしおり片９３ｋ、９３ｌの各々に形成された折り目線９２ｋ、９２ｌとにおける２回のみの折り曲げにより、使用状態の形状に形成される。このように、複雑な作業を伴わずに容易に使用状態の形状に形成できるので、形状にばらつきが生じ難く、したがって、安定したページ捲りが可能となる。
【０１４７】
尚、上記の各実施の形態では、しおり体は左右対称な形状に形成される例を示したが、少なくとも、捲るページシートと接する部分が背表紙側に傾斜していれば、左右対称でなくても良い。
【０１４８】
また、上記の各実施の形態では、しおり体はベースシートの端縁のほぼ中央に接続される例を示したが、中央でなくても良い。
【０１４９】
更に、上記の第３及び第５から第７の実施の形態では、掛け渡し片はしおり片の各々のほぼ中央部に接続されているが、この接続位置は他の位置でも良く、又、いずれも掛け渡し片が１つの場合を例として示したが、折り目線が形成されるもの以外の掛け渡し片が別に設けられていても良い。
【０１５０】
更に、上記の第５から第７の実施の形態では、切り込み又は切欠きが掛け渡し片のほぼ中央に１つ形成されている例を示したが、形成されるのは中央でなくても良く、又、複数箇所に形成されていても良い。
【０１５１】
更に、上記の各実施の形態では、しおり体に形成される折り目線は、ほぼ水平方向に形成される例を示したが、しおり片を横切る方向であれば、水平でなくても構わない。
【０１５２】
更に、上記の第３から第１０の実施の形態では、第１ベースシート、第２ベースシート及びしおり体は１枚の合成樹脂シートから形成されているが、これに限らず各部分がそれぞれ別体で構成され、互いに接続するように構成しても同様の効果を奏する。又、第１ベースシートと第２ベースシートとは１枚のシートより構成し、しおり体だけを別体としてこれらに接続するように構成しても良い。
【０１５３】
更に、上記の第３から第１０の実施の形態では、第１ベースシートの一対の第１部分の各々に第２ベースシートが接続しているが、第２ベースシートが２枚のシートに分離され、各々が第１部分の各々に接続するように構成しても同様の効果を奏する。
【０１５４】
更に、上記の第３から第１０の実施の形態では、第１ベースシート及び第２ベースシートの各々は背表紙側まで押し込むようには装着されていないが、これらの形状を大きくして背表紙側に押し込むように使用できるように構成すれば、より装着状態が安定する。
【０１５５】
更に、上記の第４及び第８の実施の形態では、しおり片の底辺以外の２辺と、一対の支持片の外方側の辺とが整列する例を示したが、これらは整列していなくても良い。
【０１５６】
更に、上記の各実施の形態では、ベースシートは、第１及び第２ベースシートから構成されている例を示したが、図２３に示した従来例のように第２ベースシートがない１枚のみの構成であっても、しおり体による効果は同様に奏する。
【０１５７】
更に、上記の第５の実施の形態では、折り目線に対して切り込みの角度がほぼ直角になる例を示したが、切り込みの先端が折り目線に達していれば、直角でなくても良い。
【０１５８】
更に、上記の第６の実施の形態では、Ｖ型の切欠きが形成される例を示したが、これに限らず、その下方の先端が折り目線に達するものであれば、他の切欠き形状であっても良い。
【０１５９】
更に、上記の第３から第１０の実施の形態では、第１ベースシートの端縁の近傍と、しおり体のいずれかの位置に形成された１本の折り目線との２箇所で折り曲げることにより、しおり体を使用状態の折り曲げ形状に形成する例を示したが、これら２箇所の間に、さらに折り目線があっても良い。
【０１６０】
更に、上記の各実施の形態では、０．２ｍｍの合成樹脂シートにより構成されているが、シートの材質に応じて０．１〜０．４ｍｍ厚さの中で適宜選択しても良い。
【図面の簡単な説明】
【０１６１】
【図１】この発明の第１の実施の形態による自動しおりの外観形状を示した斜視図である。
【図２】図１で示した自動しおりの展開状態を示した正面図である。
【図３】図１で示した自動しおりの装着の開始状態を示した斜視図である。
【図４】図１で示した自動しおりの装着の完了状態を示した斜視図である。
【図５】図４で示したＶ−Ｖラインの拡大断面図である。
【図６】図４で示した自動しおりの装着状態からページシートを捲っている状態を示した斜視図である。
【図７】この発明の第２の実施の形態による自動しおりの外観形状を示した斜視図である。
【図８】図７で示した自動しおりの展開状態を示した正面図である。
【図９】この発明の第３の実施の形態による自動しおりの外観形状を示した斜視図である。
【図１０】図９の自動しおりの展開状態を示した図である。
【図１１】図９で示した自動しおりの使用に際して行う書籍に対する装着方法を示した斜視図である。
【図１２】図１１の状態から自動しおりを使用開始状態にセットした状態を示した斜視図である。
【図１３】図１２で示したＸＩＩＩ−ＸＩＩＩラインからみた拡大断面図である。
【図１４】図１２に示した自動しおりの装着状態からページシートを捲り出した状態を示した斜視図である。
【図１５】この発明の第４の実施の形態による自動しおりの外観形状を示した斜視図である。
【図１６】この発明の第５の実施の形態による自動しおりの外観形状を示した斜視図である。
【図１７】図１６に示した自動しおりの装着状態からページシートを捲り出した状態を示した斜視図である。
【図１８】この発明の第６の実施の形態による自動しおりの外観形状を示した斜視図である。
【図１９】この発明の第７の実施の形態による自動しおりの外観形状を示した斜視図である。
【図２０】この発明の第８の実施の形態による自動しおりの外観形状を示した斜視図である。
【図２１】この発明の第９の実施の形態による自動しおりの外観形状を示した斜視図である。
【図２２】この発明の第１０の実施の形態による自動しおりの外観形状を示した斜視図である。
【図２３】従来の自動しおりの外観形状を示した斜視図である。
【図２４】図２３で示した自動しおりを書籍にセットしページシートを捲った状態を示すしおり体付近の部分拡大図である。
【符号の説明】
【０１６２】
１３…自動しおり
１４…シート
１５…第１ベースシート
１６…第２ベースシート
１８…しおり体
２３…折り目線
２５…第１部分
２６…切れ目
２７…第２部分
２８…書籍
３８、９５…支持片
３９、９３、９６…しおり片
９１…掛け渡し片
９２…折り目線
９８…切り込み
９９…底辺
１０１…切欠き
１０２…辺
尚、各図中同一符号は同一又は相当部分を示す。
【図１】
2008001095.tif 000003
【図２】
2008001095.tif 000004
【図３】
2008001095.tif 000005
【図４】
2008001095.tif 000006
【図５】
2008001095.tif 000007
【図６】
2008001095.tif 000008
【図７】
2008001095.tif 000009
【図８】
2008001095.tif 000010
【図９】
2008001095.tif 000011
【図１０】
2008001095.tif 000012
【図１１】
2008001095.tif 000013
【図１２】
2008001095.tif 000014
【図１３】
2008001095.tif 000015
【図１４】
2008001095.tif 000016
【図１５】
2008001095.tif 000017
【図１６】
2008001095.tif 000018
【図１７】
2008001095.tif 000019
【図１８】
2008001095.tif 000020
【図１９】
2008001095.tif 000021
【図２０】
2008001095.tif 000022
【図２１】
2008001095.tif 000023
【図２２】
2008001095.tif 000024
【図２３】
2008001095.tif 000025
【図２４】
2008001095.tif 000026